(57)【要約】【課題】無線通信機の内部空間での配置が容易であり、インピーダンス変換機能を備えることができ、伝送損失が小さく、外部からの電磁波などの影響に強い伝送線路を実現する。【解決手段】伝送線路１は、可撓性を有する第１，第２，第３の樹脂シート１Ａ，１Ｂ，１Ｃと、第１，第２，第３の導体３Ａ，３Ｂ，３Ｃを備える。第２の樹脂シート１Ｂは、第１の樹脂シート１Ａの上方に、第１の空間９Ａを隔てて配置されている。第３の樹脂シート１Ｃは、第１の樹脂シート１Ａの下方に、第２の空間９Ｂを隔てて配置されている。第１の導体３Ａは、信号用電極であり、第１の樹脂シート１Ａの表面に設けられている。第２の導体３Ｂは、グラウンドに接続されており、第２の樹脂シート１Ｂの表面に設けられている。第３の導体３Ｃは、グラウンドに接続されており、第３の樹脂シート１Ｃの表面に設けられている。【選択図】  図１
2013201596.tif 000002
【特許請求の範囲】
【請求項１】
可撓性を有する第１の樹脂シートと、
可撓性を有し、前記第１の樹脂シートの上方に、第１の空間を隔てて配置されている、第２の樹脂シートと、
可撓性を有し、前記第１の樹脂シートの下方に、第２の空間を隔てて配置されている、第３の樹脂シートと、
信号用電極であり、前記第１の樹脂シートの表面に設けられている、第１の導体と、
グラウンドに接続されており、前記第２の樹脂シートの表面に設けられている、第２の導体と、
グラウンドに接続されており、前記第３の樹脂シートの表面に設けられている、第３の導体と、
を備える、伝送線路。
【請求項２】
前記第１の空間の厚みと、前記第２の空間の厚みとが、それぞれ前記第１の樹脂シートの厚みよりも大きい、請求項１に記載の伝送線路。
【請求項３】
前記第１の樹脂シートと前記第２の樹脂シートとの間に設けられており、前記第１の樹脂シートと前記第２の樹脂シートとを接着する、第１の接着部と、
前記第１の樹脂シートと前記第３の樹脂シートとの間に設けられており、前記第１の樹脂シートと前記第３の樹脂シートとを接着する、第２の接着部と、を備え、
前記第１の接着部及び前記第２の接着部は、前記第１の導体と距離を隔てて設けられている、請求項１または２に記載の伝送線路。
【請求項４】
前記第１の導体と前記第１の接着部との間の距離が、前記第１の導体と前記第２の導体との間の距離よりも大きい、請求項３に記載の伝送線路。
【請求項５】
前記第１の導体と前記第２の接着部との間の距離が、前記第１の導体と前記第３の導体との間の距離よりも大きい、請求項３または４に記載の伝送線路。
【請求項６】
前記第２の導体は、前記第２の樹脂シートの下面に設けられており、前記第３の導体は、前記第３の樹脂シートの上面に設けられている、請求項１〜５のいずれか１項に記載の伝送線路。
【請求項７】
グラウンドに接続されており、前記第１の樹脂シートの表面に、前記第１の導体と距離を隔てて、前記第１の導体の両側方に設けられている、第４，第５の導体を備える、請求項１〜６のいずれか１項に記載の伝送線路。
【請求項８】
前記第１の導体は、平面視した際に、長さ方向に沿って蛇行状に設けられている、請求項１〜７のいずれか１項に記載の伝送線路。
【請求項９】
前記第１の導体は、平面視した際に、長さ方向に沿って異なる幅寸法の部分を有する、請求項１〜７のいずれか１項に記載の伝送線路。
【請求項１０】
前記第４，第５の導体は、前記第１の導体との間隔が異なる部分を有するように設けられている、請求項７に記載の伝送線路。
【請求項１１】
前記第１の導体は、直線部とスタブ部とを備える、請求項１〜１０のいずれか１項に記載の伝送線路。
【請求項１２】
前記スタブ部は、一方の端部が前記直線部と連結されており、他方の端部は開放されている、請求項１１に記載の伝送線路。
【請求項１３】
前記スタブ部は、一方の端部が前記直線部と連結されており、他方の端部は短絡されている、請求項１１に記載の伝送線路。
【請求項１４】
前記第１の導体は、直線部とスタブ部とを備え、
前記スタブ部は、一方の端部が前記直線部と連結されており、他方の端部はインピーダンス素子を介して前記第４，第５の導体のいずれかと接続されている、請求項７または１０に記載の伝送線路。
【請求項１５】
前記第１の導体は、複数の線路部を備え、複数の線路部の間にインピーダンス素子が接続されている、請求項１〜１４のいずれか１項に記載の伝送線路。
【請求項１６】
前記第１の導体は、インピーダンス素子を介して前記第４，第５の導体のいずれかと接続されている、請求項７、１０、１４のいずれか１項に記載の伝送線路。
【発明の詳細な説明】
【技術分野】
【０００１】
この発明は、携帯電話機等の無線通信機で使用される伝送線路に関するものである。
【背景技術】
【０００２】
携帯電話機等の無線通信機では、アンテナによって送受信される高周波信号を、アンテナと高周波信号処理部との間で伝送するために、伝送線路が使用されている。無線通信機の内部では、アンテナから送受信する高周波信号を伝送するために、同軸ケーブルや、プリント基板に形成された伝送線路（例えば、特許文献１参照。）が使用されている。また近年、無線通信機において、複数の通信周波数帯での通信を行うマルチバンド型のものや、通信品質の向上のために１一つの通信周波数帯において複数のアンテナを使用するものが普及してきている。そのような無線通信機では、限られた内部空間に、多数の伝送線路が設けられる。従来から、伝送線路として、同軸ケーブル、プリント配線基板に形成されたコプレナー線路やグランデッド・コプレナー線路（例えば、特許文献１参照。）などが用いられている。
【０００３】
同軸ケーブルは、柔軟性を有するため、無線通信機の内部空間での配置が容易である。無線通信機では、アンテナと高周波信号処理部とで特性インピーダンスが異なる場合がある。この場合、使用される伝送線路には、特性インピーダンスを整合するためのインピーダンス変換機能が求められる。しかし、同軸ケーブルは、特性インピーダンスが例えば５０Ωで一定であり、インピーダンス変換機能を備えていないため、アンテナと高周波信号処理部とで特性インピーダンスが異なる無線通信機では使用することができない。また、同軸ケーブルは、はんだ付けなどによって無線通信機に実装されるため、実装工程が煩雑になる。
【０００４】
コプレナー線路やグランデッド・コプレナー線路は、導体の形状や、スタブ、インダクタ、キャパシタなどの付加によって、インピーダンス変換機能を備えることができる。しかし、コプレナー線路やグランデッド・コプレナー線路は、プリント配線基板に形成されているため、無線通信機の内部空間での配置が困難である。
【０００５】
そこで、ポリイミドなどの柔軟性を有する樹脂シートに銅箔などからなる導体パターンを形成したフレキシブルプリント基板を利用して、伝送線路を構成することが提案されている（例えば、特許文献２参照。）。フレキシブルプリント基板に形成された伝送線路は、無線通信機の内部空間での配置が容易であるとともに、インピーダンス変換機能を備えることができる。
【先行技術文献】
【特許文献】
【０００６】
【特許文献１】特開２０００−９１８１６号公報
【特許文献２】特開２００９−３０２６０６号公報
【発明の概要】
【発明が解決しようとする課題】
【０００７】
しかしながら、一般に、フレキシブルプリント基板を構成する樹脂シートは誘電正接（ｔａｎδ）が大きく、単純にフレキシブルプリント基板に伝送線路を構成しても、伝送損失が大きすぎて実用に適さない。特許文献２には、伝送損失を小さくするために、フレキシブルプリント基板に部分的に空洞部を設ける構成が開示されているが、この構成では、外部からの電磁波などの影響に弱いという問題がある。
【０００８】
そこで、本発明の目的は、無線通信機の内部空間での配置が容易であり、インピーダンス変換機能を備えることができ、伝送損失が小さく、外部からの電磁波などの影響に強い伝送線路を提供することである。
【課題を解決するための手段】
【０００９】
この発明に係る伝送線路は、第１の樹脂シートと、第２の樹脂シートと、第３の樹脂シートと、第１の導体と、第２の導体と、第３の導体とを備える。第１の樹脂シートは、可撓性を有する。第２の樹脂シートは、可撓性を有し、第１の樹脂シートの上方に、第１の空間を隔てて配置されている。第３の樹脂シートは、可撓性を有し、第１の樹脂シートの下方に、第２の空間を隔てて配置されている。第１の導体は、信号用電極であり、第１の樹脂シートの表面に設けられている。第２の導体は、グラウンドに接続されており、第２の樹脂シートの表面に設けられている。第３の導体は、グラウンドに接続されており、第３の樹脂シートの表面に設けられている。
【００１０】
上述の伝送線路において、第１の空間の厚みと、第２の空間の厚みとが、それぞれ第１の樹脂シートの厚みよりも大きいことが好ましい。
【００１１】
上述の伝送線路において、第１の樹脂シートと第２の樹脂シートとの間に設けられており、第１の樹脂シートと第２の樹脂シートとを接着する、第１の接着部と、第１の樹脂シートと第３の樹脂シートとの間に設けられており、第１の樹脂シートと第３の樹脂シートとを接着する、第２の接着部と、を備え、第１の接着部及び第２の接着部は、第１の導体と距離を隔てて設けられていることが好ましい。第１の導体と第１の接着部との間の距離が、第１の導体と第２の導体との間の距離よりも大きいことが好ましい。第１の導体と第２の接着部との間の距離が、第１の導体と第３の導体との間の距離よりも大きいことが好ましい。
【００１２】
上述の伝送線路において、第２の導体は、第２の樹脂シートの下面に設けられており、第３の導体は、第３の樹脂シートの上面に設けられていることが好ましい。
【００１３】
上述の伝送線路において、グラウンドに接続されており、第１の樹脂シートの表面に、第１の導体と距離を隔てて、第１の導体の両側方に設けられている、第４，第５の導体を備えることが好ましい。
【００１４】
上述の伝送線路において、第１の導体は、平面視した際に、長さ方向に沿って蛇行状に設けられていてもよい。また、第１の導体は、平面視した際に、長さ方向に沿って異なる幅寸法の部分を有していてもよく、第４，第５の導体は、第１の導体との間隔が異なる部分を有するように設けられていてもよい。
【００１５】
上述の伝送線路において、第１の導体は、線路部とスタブ部とを備えることが好ましい。スタブ部は、一方の端部が直線部と連結されており、他方の端部は開放されていてもよく、一方の端部が直線部と連結されており、他方の端部は短絡されていてもよい。また、スタブ部は、一方の端部が直線部と連結されており、他方の端部はインピーダンス素子を介して第４，第５の導体のいずれかと接続されていてもよい。
【００１６】
上述の伝送線路において、第１の導体は、複数の線路部を備え、複数の線路部の間にインピーダンス素子が接続されていてもよい。また、第１の導体は、インピーダンス素子を介して第４，第５の導体のいずれかと接続されていてもよい。
【発明の効果】
【００１７】
この発明によれば、伝送線路を無線通信機の内部空間に容易に配置することができる。また、伝送線路がインピーダンス変換機能を備えるようにすることができる。また、伝送線路を外部からの電磁波などの影響に強くすることができる。さらに、伝送線路の伝送損失を小さくすることができる。
【図面の簡単な説明】
【００１８】
【図１】本発明の第１の実施形態に係る伝送線路の構成を説明する図である。
【図２】本発明の第２の実施形態に係る伝送線路の構成を説明する図である。
【図３】本発明の第３の実施形態に係る伝送線路の構成を説明する図である。
【図４】本発明の第４の実施形態に係る伝送線路の構成を説明する図である。
【図５】本発明の第５の実施形態に係る伝送線路の構成を説明する図である。
【図６】本発明の第６の実施形態に係る伝送線路の構成を説明する図である。
【発明を実施するための形態】
【００１９】
《第１の実施形態》
以下、本発明の第１の実施形態に係る伝送線路１について説明する。なお、現実的には、伝送線路１を含む複数の配線がフレキシブルプリント基板に形成されることになるが、ここでは、説明の簡易化のために、伝送線路１の近傍構造のみを示す。
【００２０】
図１（Ａ）は、本発明の第１の実施形態に係る伝送線路１の断面図である。図１（Ｂ）は、本発明の第１の実施形態に係る伝送線路１の図１（Ａ）中にＢ−Ｂ’で示す位置での断面図である。なお、図１（Ａ）は、図１（Ｂ）中にＡ−Ａ’で示す位置での断面図である。
【００２１】
伝送線路１は、第１の樹脂シート１Ａと、第２の樹脂シート１Ｂと、第３の樹脂シート１Ｃとを備えている。第２の樹脂シート１Ｂは、第１の樹脂シート１Ａの上方に、第１の空間９Ａを隔てて配置されている。第３の樹脂シート１Ｃは、第１の樹脂シート１Ａの下方に、第２の空間９Ｂを隔てて配置されている。第１〜第３の樹脂シート１Ａ〜１Ｃは、ポリイミドからなり、厚みが約１５μｍである。そのため、第１〜第３の樹脂シート１Ａ〜１Ｃは、可撓性を有する。
【００２２】
第１の樹脂シート１Ａの上面には、第１の導体３Ａが設けられている。具体的には、図１（Ｂ）に示すように、第１の導体３Ａは、平面視した際に、第１の樹脂シート１Ａの上面における幅方向での中央部に、長さ方向に沿って直線状に設けられている。なお、図１（Ｂ）では、紙面の横方向を第１の樹脂シート１Ａの幅方向とし、紙面の縦方向を第１の樹脂シート１Ａの長さ方向としている。第１の導体３Ａは、幅方向の寸法が６００μｍである。第２の樹脂シート１Ｂの下面には、第２の導体３Ｂが設けられている。第３の樹脂シート１Ｃの上面には、第３の導体３Ｃが設けられている。具体的には、図１（Ａ）に示すように、第２の導体３Ｂは第２の樹脂シート１Ｂの下面の全面に設けられており、第３の導体３Ｃは第３の樹脂シート１Ｃの上面の全面に設けられている。
【００２３】
第１の導体３Ａは、アンテナや高周波信号処理部に接続されており、高周波信号が伝送される信号用電極である。第２の導体３Ｂと第３の導体３Ｃとは、グラウンドに接続されており、グラウンド電極である。第１〜第３の導体３Ａ〜３Ｃは、銅からなり、厚みが約３５μｍである。
【００２４】
第１，第２の接着部２Ａ，２Ｂは、熱硬化性樹脂からなり、厚みが約２５０μｍである。図１（Ｂ）に示すように、第１の接着部２Ａは、平面視した際に、第１の樹脂シート１Ａの上面における幅方向での両端部に、長さ方向に沿って直線状に設けられている。詳細には、第１の接着部２Ａは、平面視した際に、第１の樹脂シート１Ａの上面において、第１の導体３Ａと１５００μｍの距離を隔てて、第１の導体３Ａの両側に設けられている。第１の接着部２Ａは、幅方向の寸法が５００μｍである。第１の接着部２Ａは、第１の樹脂シート１Ａと第２の樹脂シート１Ｂとの間に設けられており、第１の樹脂シート１Ａと第２の樹脂シート１Ｂとを接着している。よって、第１の接着部２Ａの厚みによって、第１の樹脂シート１Ａと第２の樹脂シート１Ｂとの間に、第１の空間９Ａが設けられている。第１の空間９Ａには、空気が存在する。
【００２５】
また、第２の接着部２Ｂは、平面視した際に、第１の樹脂シート１Ａの下面における幅方向での両端部に、長さ方向に沿って直線状に設けられている。第２の接着部２Ｂは、幅方向の寸法が５００μｍである。第２の接着部２Ｂは、平面視した際に、第１の接着部２Ａと重なり合うように、第１の接着部２Ａと同一寸法で設けられている。第２の接着部２Ｂは、第１の樹脂シート１Ａと第３の樹脂シート１Ｃとの間に設けられており、第１の樹脂シート１Ａと第３の樹脂シート１Ｃとを接着している。よって、第２の接着部２Ｂの厚みによって、第１の樹脂シート１Ａと第３の樹脂シート１Ｃとの間に、第２の空間９Ｂが設けられている。第２の空間９Ｂには、空気が存在する。
【００２６】
本実施形態の伝送線路１は、可撓性を有する第１〜第３の樹脂シート１Ａ〜１Ｃを備えているため、無線通信機の内部空間での配置が容易であり、実装も容易である。また、伝送線路１は、グラウンド電極である第２，第３の導体３Ｂ，３Ｃを備えているため、外部からの電磁波などの影響に強い。また、伝送線路１は、信号用電極である第１の導体３Ａの形状によって、インピーダンス変換機能を備えることができる。
【００２７】
本実施形態の伝送線路１では、信号用電極である第１の導体３Ａの周囲に第１，第２の空間９Ａ，９Ｂが設けられており、信号用電極である第１の導体３Ａとグラウンド電極である第２，第３の導体３Ｂ，３Ｃとの間の電気力線の大部分は空気が存在する第１，第２の空間９Ａ，９Ｂを通り、電気力線のわずかな部分のみが第１の樹脂シート１Ａを通る。そのため、第１の樹脂シート１Ａを構成する樹脂による誘電損失は非常に小さくなる。言い換えれば、第１〜第３の樹脂シート１Ａ〜１Ｃを構成する樹脂の誘電正接（ｔａｎδ）が大きいのに対して、第１，第２の空間９Ａ，９Ｂに存在する空気の誘電正接（ｔａｎδ）は小さいため、第１，第２の空間９Ａ，９Ｂにおいて電界が強くなり、第１の樹脂シート１Ａを構成する樹脂による誘電損失は非常に小さくなる。よって、本実施形態の伝送線路１では、伝送損失を小さくすることができる。
【００２８】
また、本実施形態の伝送線路１では、第１，第２の接着部２Ａ，２Ｂの厚みによって、第１，第２の空間９Ａ，９Ｂが設けられているため、第１，第２の空間９Ａ，９Ｂの厚みは約２５０μｍである。よって、第１，第２の空間９Ａ，９Ｂの厚みは、信号用電極である第１の導体３Ａが設けられている第１の樹脂シート１Ａの厚みよりも大きい。このため、第１の樹脂シート１Ａを構成する樹脂による誘電損失は非常に小さくなり、伝送損失を小さくすることができる。
【００２９】
ここで、第１，第２の空間に、空気ではなく、第１〜第３の樹脂シートを構成する材料と同じポリイミドが存在する点以外は伝送線路１と同じ構成である比較例を用意した。比較例では、信号用電極である第１の導体とグラウンド電極である第２，第３の導体との間の電気力線の全てが第１，第２の空間に存在するポリイミドか第１の樹脂シートを構成するポリイミドかのいずれかを通ることになる。このため、これらのポリイミドによる誘電損失は非常に大きくなり、伝送損失が非常に大きなものとなる。一方、本実施形態の伝送線路１では、第１の樹脂シート１Ａを構成する樹脂による誘電損失は非常に小さく、第１，第２の空間９Ａ，９Ｂに存在する空気による誘電損失も非常に小さいため、伝送損失を非常に小さくすることができる。例えば、第１〜第３の樹脂シート１Ａ〜１Ｃを構成するポリイミドの誘電率が３である場合、本実施形態の伝送線路１において、第１，第２の空間９Ａ，９Ｂの厚みを第１の樹脂シート１Ａの厚みの５倍にすれば、誘電損失は比較例の１／１５程度に小さくなり、伝送損失を非常に小さくすることができる。
【００３０】
また、本実施形態の伝送線路１では、第１の接着部２Ａは、平面視した際に、第１の樹脂シート１Ａの上面において、第１の導体３Ａと１５００μｍの距離を隔てて、第１の導体３Ａの両側に設けられている。また、第２の接着部２Ｂは、平面視した際に、第１の接着部２Ａと重なり合うように、第１の接着部２Ａと同一寸法で設けられている。よって、第１の導体３Ａと第１の接着部２Ａとの間の距離が、第１の導体３Ａと第２の導体３Ｂとの間の距離よりも大きく、第１の導体３Ａと第２の接着部２Ｂとの間の距離が、第１の導体３Ａと第３の導体３Ｃとの間の距離よりも大きい。このため、信号用電極である第１の導体３Ａとグラウンド電極である第２，第３の導体３Ｂ，３Ｃとの間の電気力線の大部分は空気が存在する第１，第２の空間９Ａ，９Ｂを通り、第１，第２の接着部２Ａ，２Ｂは通らない。このため、本実施形態の伝送線路１では、第１，第２の接着部２Ａ，２Ｂによる誘電損失は非常に小さくなり、伝送損失を小さくすることができる。
【００３１】
また、本実施形態の伝送線路１では、第２の導体３Ｂが第２の樹脂シート１Ｂの下面に設けられており、第３の導体３Ｃが第３の樹脂シート１Ｃの上面に設けられている。このため、信号用電極である第１の導体３Ａとグラウンド電極である第２，第３の導体３Ｂ，３Ｃとの間の電気力線は、第２，第３の樹脂シート１Ｂ，１Ｃを通過しない。このため、本実施形態の伝送線路１では、第２，第３の樹脂シート１Ｂ，１Ｃによる誘電損失は発生せず、伝送損失を小さくすることができる。
【００３２】
《第２の実施形態》
次に、本発明の第２の実施形態に係る伝送線路１１について説明する。
【００３３】
図２（Ａ）は、本発明の第２の実施形態に係る伝送線路１１の断面図である。図２（Ｂ）は、本発明の第２の実施形態に係る伝送線路１１の図２（Ａ）中にＢ−Ｂ’で示す位置での断面図である。なお、図２（Ａ）は、図２（Ｂ）中にＡ−Ａ’で示す位置での断面図である。なお、第１の実施形態と同じ構成には、同じ符号を付している。
【００３４】
本実施形態の伝送線路１１は、第１の実施形態の伝送線路１における第１の導体３Ａに代えて第１の導体１３Ａを備えていることと、第４，第５の導体１３Ｄ，１３Ｅを備えていることを除いては、第１の実施形態の伝送線路１と同じ構成を有する。第４，第５の導体１３Ｄ，１３Ｅは、グラウンドに接続されており、グラウンド電極である。第４，第５の導体１３Ｄ，１３Ｅは、銅からなる。
【００３５】
図２（Ｂ）に示すように、第１の導体１３Ａは、平面視した際に、第１の樹脂シート１Ａの上面における幅方向での中央部に、長さ方向に沿って中央部に屈曲部を有する蛇行状に設けられている。
【００３６】
第４，第５の導体１３Ｄ，１３Ｅは、第１の導体１３Ａと同様に、第１の樹脂シート１Ａの上面に設けられている。具体的には、図２（Ｂ）に示すように、第４，第５の導体１３Ｄ，１３Ｅは、平面視した際に、第１の樹脂シート１Ａの上面における幅方向での端部に、長さ方向に沿って直線状にそれぞれ設けられている。詳細には、第４，第５の導体１３Ｄ，１３Ｅは、平面視した際に、第１の樹脂シート１Ａの上面において、第１の導体１３Ａと距離を隔てて、第１の導体１３Ａの両側に設けられている。
【００３７】
本実施形態の伝送線路１１は、グラウンド電極である第４，第５の導体１３Ｄ，１３Ｅをさらに備えているため、外部からの電磁波などの影響に特に強い。
【００３８】
また、本実施形態の伝送線路１１では、第１の導体１３Ａは、平面視した際に、第１の樹脂シート１Ａの上面における幅方向での中央部に、長さ方向に沿って中央部に屈曲部を有する蛇行状に設けられている。このため、屈曲部の寸法や数により、伝送線路１１の長さ寸法を大きく変えることなく、第１の導体１３Ａの電気長を変えることができ、高周波特性を調整することができる。
【００３９】
《第３の実施形態》
次に、本発明の第３の実施形態に係る伝送線路２１について説明する。
【００４０】
図３（Ａ）は、本発明の第３の実施形態に係る伝送線路２１の断面図である。図３（Ｂ）は、本発明の第３の実施形態に係る伝送線路２１の図３（Ａ）中にＢ−Ｂ’で示す位置での断面図である。なお、図３（Ａ）は、図３（Ｂ）中にＡ−Ａ’で示す位置での断面図である。なお、第１，第２の実施形態と同じ構成には、同じ符号を付している。
【００４１】
本実施形態の伝送線路２１は、第２の実施形態の伝送線路１１における第１の導体１３Ａに代えて第１の導体２３Ａを備えていることを除いては、第２の実施形態の伝送線路１１と同じ構成を有する。
【００４２】
図３（Ｂ）に示すように、第１の導体２３Ａは、平面視した際に、第１の樹脂シート１Ａの上面における幅方向での中央部に、長さ方向に沿って、異なる幅寸法の部分を有する略直線状に設けられている。
【００４３】
第１の導体２３Ａは異なる幅寸法の部分を有するため、本実施形態の伝送線路２１では、特性インピーダンスが途中で変化することになる。
【００４４】
すなわち、本実施形態の伝送線路２１は、インピーダンス変換機能を備える。本実施形態の伝送線路２１では、第１の導体２３Ａの異なる幅寸法の部分における、それぞれの幅寸法を調整することによって、伝送される高周波信号の特性インピーダンスを所望の大きさに変換することができる。
【００４５】
《第４の実施形態》
次に、本発明の第４の実施形態に係る伝送線路３１について説明する。
【００４６】
図４（Ａ）は、本発明の第４の実施形態に係る伝送線路３１の断面図である。図４（Ｂ）は、本発明の第４の実施形態に係る伝送線路３１の図４（Ａ）中にＢ−Ｂ’で示す位置での断面図である。なお、図４（Ａ）は、図４（Ｂ）中にＡ−Ａ’で示す位置での断面図である。なお、第１，第２の実施形態と同じ構成には、同じ符号を付している。
【００４７】
本実施形態の伝送線路３１は、第２の実施形態の伝送線路１１における第１の導体１３Ａに代えて第１の導体３３Ａを備えていること、第４，第５の導体１３Ｄ，１３Ｅに代えて第４，第５の導体３３Ｄ，３３Ｅを備えていることを除いては、第２の実施形態の伝送線路１１と同じ構成を有する。
【００４８】
図４（Ｂ）に示すように、第１の導体３３Ａは、平面視した際に、第１の樹脂シート１Ａの上面における幅方向での中央部に、長さ方向に沿って直線状に設けられている。また、図４（Ｂ）に示すように、第４，第５の導体３３Ｄ，３３Ｅは、平面視した際に、第１の樹脂シート１Ａの上面における幅方向での端部に、長さ方向に沿って、異なる幅寸法の部分を有する略直線状にそれぞれ設けられている。詳細には、第４，第５の導体３３Ｄ，３３Ｅは、平面視した際に、第１の樹脂シート１Ａの上面において、第１の導体３３Ａと距離を隔てて、第１の導体３３Ａの両側に設けられている。
【００４９】
第４，第５の導体３３Ｄ，３３Ｅは異なる幅寸法の部分を有するため、第１の導体３３Ａとの間隔が異なる部分を有することになる。このため、本実施形態の伝送線路３１では、特性インピーダンスが途中で変化することになる。
【００５０】
すなわち、本実施形態の伝送線路３１は、インピーダンス変換機能を備える。本実施形態の伝送線路３１では、第４，第５の導体３３Ｄ，３３Ｅの異なる幅寸法の部分における、それぞれの幅寸法を調整することによって、伝送される高周波信号の特性インピーダンスを所望の大きさに変換することができる。
【００５１】
《第５の実施形態》
次に、本発明の第５の実施形態に係る伝送線路４１について説明する。
【００５２】
図５（Ａ）は、本発明の第５の実施形態に係る伝送線路４１の断面図である。図５（Ｂ）は、本発明の第５の実施形態に係る伝送線路４１の図５（Ａ）中にＢ−Ｂ’で示す位置での断面図である。なお、図５（Ａ）は、図５（Ｂ）中にＡ−Ａ’で示す位置での断面図である。なお、第１，第２の実施形態と同じ構成には、同じ符号を付している。
【００５３】
本実施形態の伝送線路４１は、第２の実施形態の伝送線路１１における第１の導体１３Ａに代えて第１の導体４３Ａを備えていること、第４，第５の導体１３Ｄ，１３Ｅに代えて第４，第５の導体４３Ｄ，４３Ｅを備えていることを除いては、第２の実施形態の伝送線路１１と同じ構成を有する。
【００５４】
図５（Ｂ）に示すように、第１の導体４３Ａは、直線部４３Ａ１と、スタブ部４３Ａ２とを備えている。直線部４３Ａ１は、平面視した際に、第１の樹脂シート１Ａの上面における幅方向での中央部に、長さ方向に沿って直線状に設けられている。スタブ部４３Ａ２は、平面視した際にＬ字状に設けられており、一方の端部が直線部４３Ａ１と連結されており、他方の端部は開放されているため、オープンスタブを構成している。
【００５５】
また、図５（Ｂ）に示すように、第４の導体４３Ｄは、平面視した際に、第１の樹脂シート１Ａの上面における幅方向での一方の端部に、長さ方向に沿って、スタブ部４３Ａ２を取り囲むように設けられている。第５の導体４３Ｅは、平面視した際に、第１の樹脂シート１Ａの上面における幅方向での他方の端部に、長さ方向に沿って、直線状に設けられている。このように、第４，第５の導体４３Ｄ，４３Ｅは、平面視した際に、第１の樹脂シート１Ａの上面において、第１の導体４３Ａと距離を隔てて、第１の導体４３Ａの両側に設けられている。
【００５６】
本実施形態の伝送線路４１では、オープンスタブを構成しているスタブ部４３Ａ２により、特性インピーダンスを整合することや、フィルタを構成することができる。
【００５７】
本実施形態の伝送線路４１では、第４，第５の導体４３Ｄ，４３Ｅと第１の導体４３Ａとの距離は一定とされているが、距離の異なる部分が設けられていてもよい。
【００５８】
本実施形態の伝送線路４１では、スタブ部４３Ａ２はオープンスタブを構成しているが、スタブ部の他方の端部が短絡されている構成とすることで、スタブ部がショートスタブを構成するようにしてもよい。
【００５９】
《第６の実施形態》
次に、本発明の第６の実施形態に係る伝送線路５１について説明する。
【００６０】
図６（Ａ）は、本発明の第６の実施形態に係る伝送線路５１の断面図である。図６（Ｂ）は、本発明の第６の実施形態に係る伝送線路５１の図６（Ａ）中にＢ−Ｂ’で示す位置での断面図である。なお、図６（Ａ）は、図６（Ｂ）中にＡ−Ａ’で示す位置での断面図である。なお、第１，第２，第５の実施形態と同じ構成には、同じ符号を付している。
【００６１】
本実施形態の伝送線路５１は、第５の実施形態の伝送線路４１における第１の導体４３Ａに代えて第１の導体５３Ａを備えていること、インピーダンス素子である第１，第２のキャパシタＣ１，Ｃ２及び第１のインダクタＬ１を備えていることを除いては、第５の実施形態の伝送線路４１と同じ構成を有する。
【００６２】
図６（Ｂ）に示すように、第１の導体５３Ａは、第１の直線部５３Ａ１と、スタブ部５３Ａ２と、第２の直線部５３Ａ３とを備えている。直線部５３Ａ１は、平面視した際に、第１の樹脂シート１Ａの上面における幅方向での中央部に、長さ方向に沿って直線状に設けられている。スタブ部５３Ａ２は、平面視した際にＬ字状に設けられており、一方の端部が直線部５３Ａ１と連結されており、他方の端部は開放されているため、オープンスタブを構成している。直線部５３Ａ３は、平面視した際に、第１の樹脂シート１Ａの上面における幅方向での中央部に、長さ方向に沿って第１の直線部５３Ａ１と距離を隔てて直線状に設けられている。
【００６３】
また、図４（Ｂ）に示すように、第１のキャパシタＣ１は第１の直線部５３Ａ１と第５の導体４３Ｅとの間に接続されており、第２のキャパシタＣ２はスタブ部５３Ａ２と第４の導体４３Ｄとの間に接続されており、第１のインダクタＬ１は第１の直線部５３Ａ１と第２の直線部５３Ａ３との間に接続されている。
【００６４】
インピーダンス素子は、第１，第２のキャパシタＣ１，Ｃ２及び第１のインダクタＬ１に限らず、キャパシタとインダクタのいずれかであればよい。また、インピーダンス素子は、他の部分に接続されていてもよい。
【００６５】
本実施形態の伝送線路５１では、オープンスタブを構成しているスタブ部５３Ａ２により、特性インピーダンスを整合することや、フィルタを構成することができる。また、本実施形態の伝送線路５１では、インピーダンス素子である第１，第２のキャパシタＣ１，Ｃ２及び第１のインダクタＬ１により、伝送される高周波信号の特性インピーダンスを所望の大きさに変換することができるため、インピーダンス変換機能を備える。
【符号の説明】
【００６６】
１，１１，２１，３１，４１，５１…伝送線路
１Ａ，１Ｂ，１Ｃ…第１，第２，第３の樹脂シート
２Ａ，２Ｂ…第１，第２の接着部
３Ａ，１３Ａ，２３Ａ，３３Ａ，４３Ａ，５３Ａ…第１の導体
３Ｂ…第２の導体
３Ｃ…第３の導体
９Ａ，９Ｂ…第１，第２の空間
１３Ｄ，３３Ｄ，４３Ｄ…第４の導体
１３Ｅ，３３Ｅ，４３Ｅ…第５の導体
４３Ａ１…直線部
４３Ａ２…スタブ部
５３Ａ１…第１の直線部
５３Ａ２…スタブ部
５３Ａ３…第２の直線部
Ｃ１，Ｃ２…第１，第２のキャパシタ
Ｌ１…第１のインダクタ
【図１】
2013201596.tif 000003
【図２】
2013201596.tif 000004
【図３】
2013201596.tif 000005
【図４】
2013201596.tif 000006
【図５】
2013201596.tif 000007
【図６】
2013201596.tif 000008